(57)【要約】【課題】消火活動時に霧状放水を得ることができるようにし、既存の放水器具をそのまま有効利用することができる消防用噴霧放水発生接続筒を提供する。【解決手段】内部が流体通路２となる接続筒５の外側に、接続筒５に対する回転によって軸方向に進退動する操作外筒６を外嵌し、前記接続筒５に、この接続筒５の外周に外周面で開放するよう配置され、圧力水を外方に噴霧放水する環状の噴霧放水溝７と、流体通路２と噴霧放水溝７を接続する連通路８を設け、前記操作外筒６に、接続筒５に対して前進したシャット位置にあるとき前記連通路８の途中を遮断し、後退したオープン位置にあるとき前記連通路８を導通させる切り換え弁部１３を設けた。【選択図】図１
0003156866.tif 000002
【実用新案登録請求の範囲】
【請求項１】
内部が流体通路で両端部にそれぞれ消防用機器の接続部が設けられた接続筒と、
この接続筒の外側に外嵌し、接続筒に対する回転によって軸方向に進退動する操作外筒とからなり、
前記接続筒に、この接続筒の外周に外周面で開放するよう配置され、圧力水を外方に噴霧放水する環状の噴霧放水溝と、前記流体通路と噴霧放水溝を接続する連通路を設け、
前記操作外筒に、接続筒に対して前進したシャット位置にあるとき前記連通路の途中を遮断し、後退したオープン位置にあるとき前記連通路を導通させる切り換え弁部を設けた消防用噴霧放水発生接続筒。
【請求項２】
上記接続筒の噴霧放水溝が、接続筒の外周に設けた環状突部に、この環状突部の外周面で開放するように設けた環状溝と、この環状溝の半径方向の途中で周方向の全周にわたるように組み込まれ、外方に流出する圧力水を噴霧状態にする噴霧発生部材とで形成され、
前記連通路が、前記環状溝と底部で連通し、環状突部の一方側面で開放する軸方向の下流側通路と、この下流側通路の途中と接続筒の内部流体通路を接続する半径方向の上流側通路で形成され、
上記操作外筒は、前記環状突部に対して、前記下流側通路を設けた側に位置するように接続筒に外嵌し、この接続筒との嵌合部分に設けたねじ機構により、接続筒に対する回転によって軸方向に進退動し、この操作外筒に設けた切り換え弁部が、前記下流側通路内に対して開放端から軸方向に可動となるよう嵌合する筒状に形成され、操作外筒がシャット位置にあるとき下流側通路と上流側通路の連通を遮断し、オープン位置にあるとき下流側通路と上流側通路を連通させるようになっている請求項１に記載の消防用噴霧放水発生接続筒。
【請求項３】
上記操作外筒は、上記切り換え弁部とその外側に設けた外周筒部からなり、この外周筒部は、上記接続筒に設けた環状突部に外嵌し、操作外筒がシャット位置にあるとき環状突部に設けた環状溝の外側を覆い、オープン位置にあるとき環状溝の外側を開放する開閉蓋になっている請求項２に記載の消防用噴霧放水発生接続筒。
【請求項４】
上記接続筒の内周面で、この内周面に開口する連通路に対して下流側の位置に、流体通路を流れる圧力水の一部を連通路に誘導する誘導突部を設けた請求項１乃至３の何れかに記載の消防用噴霧放水発生接続筒。
【考案の詳細な説明】
【技術分野】
【０００１】
この考案は、消防用ホースの先端に取付けたストップバルブと放水ノズルの間に介在させ、消火活動の放水時に冷却や自衛のための噴霧放水を生じさせることができるようにした消防用噴霧放水発生接続筒に関する。
【背景技術】
【０００２】
消防用ホースの先端に放水ノズル等の放水器具を取付ける場合、消防用ホースの先端と放水器具の間にストップバルブを設け、このストップバルブを開弁又は閉弁操作することにより、放水器具の根元部分で放水と停止が行えるようにしている。
【０００３】
火災の消火における放水は、火点を直接攻撃することのできる棒状放水が有効であり、このため、放水器具として棒状放水ノズルが既に多用されている。
【０００４】
ところで、放水活動時に火炎に近づこうとすると、火炎からの熱によって接近が阻まれるだけでなく、高温によって身体に危険を伴い、安全な消火活動が行えないものである。
【０００５】
このため、ストップバルブの先に接続する放水器具として、棒状放水と霧状放水の選択及び同時放水の切り換えが行える特殊ノズルが提案されている（例えば、特許文献１参照）。
【先行技術文献】
【特許文献】
【０００６】
【特許文献１】実用新案登録第３１２５１０４号公報
【考案の概要】
【考案が解決しようとする課題】
【０００７】
しかしながら、上記のような特殊ノズルの採用は、構造が複雑で高価なものであり、その購入のために経費がかかると共に、棒状放水ノズルのような既に多用されている既存の放水器具を活用することができないという問題がある。
【０００８】
そこで、この考案の課題は、ストップバルブと放水器具の間に設けることで、消火活動時に霧状放水を得ることができるようにし、既存の棒状放水器具をそのまま有効利用することができ、経費の削減と資源の活用を実現できる消防用噴霧放水発生接続筒を提供することにある。
【課題を解決するための手段】
【０００９】
上記の課題を解決するため、この考案は、内部が流体通路で両端部にそれぞれ消防用機器の接続部が設けられた接続筒と、この接続筒の外側に外嵌し、接続筒に対する回転によって軸方向に進退動する操作外筒とからなり、前記接続筒に、この接続筒の外周に外周面で開放するよう配置され、圧力水を外方に噴霧放水する環状の噴霧放水溝と、前記流体通路と噴霧放水溝を接続する連通路を設け、前記操作外筒に、接続筒に対して前進したシャット位置にあるとき前記連通路の途中を遮断し、後退したオープン位置にあるとき前記連通路を導通させる切り換え弁部を設けたものである。
【００１０】
上記接続筒の噴霧放水溝が、接続筒の外周に設けた環状突部に、この環状突部の外周面で開放するように設けた環状溝と、この環状溝の半径方向の途中で周方向の全周にわたるように組み込まれ、外方に流出する圧力水を噴霧状態にする噴霧発生部材とで形成され、前記連通路が、前記環状溝と底部で連通し、環状突部の一方側面で開放する軸方向の下流側通路と、この下流側通路の途中と接続筒の内部流体通路を接続する半径方向の上流側通路で形成され、上記操作外筒は、前記環状突部に対して、前記下流側通路を設けた側に位置するように接続筒に外嵌し、この接続筒との嵌合部分に設けたねじ機構により、接続筒に対する回転によって軸方向に進退動し、この操作外筒に設けた切り換え弁部が、前記下流側通路内に対して開放端から軸方向に可動となるよう嵌合する筒状に形成され、操作外筒がシャット位置にあるとき下流側通路と上流側通路の連通を遮断し、オープン位置にあるとき下流側通路と上流側通路を連通させるようにすることができる。
【００１１】
また、上記操作外筒は、上記切り換え弁部とその外側に設けた外周筒部からなり、この外周筒部は、上記接続筒に設けた環状突部に外嵌し、操作外筒がシャット位置にあるとき環状突部に設けた環状溝の外側を覆い、オープン位置にあるとき環状溝の外側を開放する開閉蓋になっている構造とすることができる。
【００１２】
更に、接続筒の内周面で、この内周面に開口する連通路に対して下流側の位置に、流体通路を流れる圧力水の一部を連通路に誘導する誘導突部を設けることができる。
【００１３】
ここで、上記接続筒は、円筒状となる接続筒本体と、この接続筒本体の後端に外嵌螺合した延長筒とで形成され、前記接続筒本体の先端部外周に消防用機器の接続部となる雄ねじが設けられ、前記延長筒の後端部内周に消防用機器の接続部となる雌ねじが設けられている。
【００１４】
上記接続筒の環状突部は、接続筒本体の外周で先端寄りの位置に設けられ、上記操作外筒は、接続筒本体の外側で環状突部と延長筒の間に配置されて切り換え弁部が接続筒本体に外嵌し、接続筒本体の上流側通路を挟む両側に、切り換え弁部の内周に摺接するＯリングが設けてある。
【考案の効果】
【００１５】
この考案によると、接続筒に対して操作外筒を回動させることで、この操作外筒が連通路の遮断と導通を切り換えるので、ストップバルブと放水器具を接続することにより、操作外筒を回動操作すれば、通常の棒状放水と、この棒状放水に加えて膜状の壁を作る噴霧放水とが得られることになり、従って、既に放水器具として多用されている棒状放水ノズルをそのまま用いて噴霧放水が得られ、既存の放水器具の有効利用が可能となり、しかも、接続筒と操作外筒の組み合わせからなる簡単な構造であるので、特殊ノズルに比べてコスト的にも安価であり、経費の削減と資源の活用を実現することができる。
【００１６】
また、接続筒と操作外筒の組み合わせからなるシンプルな構造であるので、全体の外形を小型化することができ、取り扱いに便利であると同時に、放水器具の接続状態で邪魔にならないという利点がある。
【図面の簡単な説明】
【００１７】
【図１】この考案に係る消防用噴霧放水発生接続筒の棒状放水と噴霧放水の同時放水を行うオープン状態を示す要部切り欠き正面図
【図２】この考案に係る消防用噴霧放水発生接続筒の棒状放水のみのシャット状態を示す要部切り欠き正面図
【図３】（ａ）はこの考案に係る消防用噴霧放水発生接続筒を用いてストップバルブに放水器具を接続した使用状態の正面図、（ｂ）は同上のストップバルブの部分を拡大した正面図
【図４】この考案に係る消防用噴霧放水発生接続筒を用いてストップバルブに放水器具を接続し、棒状放水と噴霧放水を行っている状態を示す使用説明図
【考案を実施するための形態】
【００１８】
以下、この考案の実施の形態を図示例に基づいて説明する。
【００１９】
図１と２のように、消防用噴霧放水発生接続筒１は、内部が流体通路２となり、両端部にそれぞれ消防用機器の接続部３と４が設けられた接続筒５と、この接続筒５の外側に外嵌し、接続筒５に対する回転によって軸方向に進退動する操作外筒６との組み合わせからなり、前記接続筒５の外周面で先端寄りの位置に、圧力水を外方に向けて噴霧放水する環状の噴霧放水溝７と、前記流体通路２と噴霧放水溝７を接続する連通路８が設けられている。ここで、前記接続筒５は、流体通路２を流れる圧力水の上流側を後端、下流側を先端とする。
【００２０】
上記接続筒５は、円筒状となる接続筒本体５ａと、この接続筒本体５ａの後端に外嵌螺合した延長筒５ｂとで形成され、前記接続筒本体５ａの先端部外周に消防用機器の接続部３となる雄ねじが設けられ、前記延長筒５ｂの後端部内周に消防用機器の接続部４となる雌ねじが設けられている。
【００２１】
上記接続筒５の噴霧放水溝７は、接続筒本体５ａの外周に設けた略角形の環状突部９に、この環状突部９の外周面で開放するように設けた環状溝７ａと、この環状溝７ａの半径方向の途中で周方向の全周にわたるようリング状に組み込まれ、外方に流出する圧力水を噴霧状態にする噴霧発生部材１０とで形成され、この噴霧発生部材１０としては、環状溝７ａから外方に流出する圧力水が霧状となって円形や錐形の水膜を形成することができるものであればよく、例えば、０．３ｍｍ程度の小さな孔を設けたパンチング板やステンレス製の網等を用いることができる。
【００２２】
上記連通路８は、環状溝７ａと底部で連通し、環状突部９の一方側面で開放する軸方向の下流側通路１１と、この下流側通路１１の途中と接続筒５の内部流体通路２を接続する半径方向の上流側通路１２で形成され、具体的には、前記下流側通路１１が、環状突部９の一方側面で開放する環状の凹溝１１ａと、この凹溝１１ａと環状溝７ａを接続する複数の接続孔１１ｂからなり、上流側通路１２は、接続筒本体５ａの内周面で開口し、流体通路２と前記凹溝１１ａの途中を接続する複数の孔になっている。
【００２３】
上記操作外筒６は、接続筒本体５ａの外側で、環状突部９と延長筒５ｂの間に回転と軸方向への移動が可能なように外嵌しており、接続筒本体５ａの外周に嵌合する内径となる円筒状の切り換え弁部１３と、この切り換え弁部１３の後端から連なってその外側に同軸心で位置する外周筒部１４とで形成されている。
【００２４】
上記切り換え弁部１３は、上記下流側通路１１の凹溝１１ａ内に丁度嵌る厚みを有し、環状突部９と延長筒５ｂの対向間隔よりも短かい長さの円筒状に形成され、凹溝１１ａ内に嵌る状態で軸方向に移動可能になる。
【００２５】
上記接続筒本体５ａと操作外筒６は、接続筒本体５ａの外周面に形成した雄ねじと切り換え弁部の内周に形成した雌ねじからなるねじ機構１５の螺合により、接続筒５に対して操作外筒６を回転させると、操作外筒６は軸方向に進退動し、この進退動により、操作外筒６は、接続筒５の先端側にあるときはシャット位置となり、また、後端側にあるときはオープン位置となる。
【００２６】
この操作外筒６が上記シャット位置にあるときは、図２のように、切り換え弁部１３が凹溝１１ａ内に進入し、凹溝１１ａと上流側通路１２の連通を遮断した閉弁状態となり、また、オープン位置にあるときは、図１のように、切り換え弁部１３が凹溝１１ａから抜けて開放端側に位置し、凹溝１１ａと上流側通路１２が連通した開弁状態となる。
【００２７】
上記操作外筒６の外周筒部１４は、回動操作のために握持する部分になるが、この外周筒部１４は上記環状突部９の外側に丁度嵌る内径に設定され、その先端側は、操作外筒６がシャット位置にあるとき環状突部９に設けた環状溝７ａの外側を覆い、オープン位置にあるとき環状溝７ａの外側を開放する開閉蓋１４ａになっている。
【００２８】
なお、接続筒本体５ａの外周で上流側通路１２を挟む両側に、切り換え弁部１３の内周に摺接するＯリング１６が、また、環状突部９の外周にも外周筒部１４の内周に摺接する止水用Ｏリング１７がそれぞれ設けてある。
【００２９】
また、上記接続筒本体５ａの内周面で、この内周面に開口する連通路８の上流側通路１２に対して下流側の位置に、流体通路２を流れる圧力水の一部を上流側通路１２に誘導する傾斜状の誘導突部１８を設け、更に、図示省略したが、接続筒本体５ａの内周面で、前記上流側通路１２が流体通路２に開口する部分に除塵用のステンレス製網を配置することができる。
【００３０】
この考案の消防用噴霧放水発生接続筒１は、上記のような構成であり、図３のように、消防用ホースの先端に取付けたストップバルブ１９の先端に延長筒５ｂを螺合連結し、接続筒本体５ａの先端に棒状放水ノズルのような放水器具２０を螺合連結する。
【００３１】
消火活動時の放水と停止の制御はストップバルブ１９の操作によって行い、棒状放水だけで消火を行う場合は、図２のように、接続筒５に対して操作外筒６を前進させたシャット位置にする。
【００３２】
操作外筒６をシャット位置にすると、切り換え弁部１３が凹溝１１ａ内に進入し、連通路８の下流側通路１１と上流側通路１２の連通を遮断し、開閉蓋１４ａが噴霧放水溝７の外側を覆い、これにより、流体通路２を流れる圧力水の噴霧放水溝７への流出はなく、放水器具２０からの棒状放水だけとなる。
【００３３】
上記の棒状放水状態で、接続筒５に対して操作外筒６を回動させて後方に移動させ、オープン位置にすると、図１のように、切り換え弁部１３が凹溝１１ａ内から退動し、連通路８の下流側通路１１と上流側通路１２が連通すると共に、開閉蓋１４ａが噴霧放水溝７の外側を開放するので、流体通路２を流れる圧力水の一部が上流側通路１２から下流側通路１１を通って噴霧放水溝７へ流出し、この噴霧放水溝７の圧力水は噴霧発生部材１０を通過することで霧状となり、図４のように、外方に流出する圧力水が霧状となって円形や錐形の水膜を形成する噴霧放水ａとなり、これにより、棒状放水ｂと噴霧放水ａが同時に得られ、噴霧放水ａで冷却と自衛を行いながら棒状放水で火点を攻撃することができる。
【００３４】
なお、噴霧放水ａの必要がなくなれば、操作外筒６を回動させて前方に移動させた図２のシャット位置にすればよく、切り換え弁部１３が連通路８の上流側通路１２と下流側通路１１を遮断することで噴霧放水ａは停止し、棒状放水ｂだけとなり、棒状放水ｂはストップバルブ１９で停止させることができる。
【符号の説明】
【００３５】
１        消防用噴霧放水発生接続筒
２        流体通路
３        接続部
４        接続部
５        接続筒
６        操作外筒
７        噴霧放水溝
８        連通路
９        環状突部
１０      噴霧発生部材
１１      下流側通路
１２      上流側通路
１３      切り換え弁部
１４      外周筒部
１５      ねじ機構
１６      Ｏリング
１７      止水用Ｏリング
１８      誘導突部
１９      ストップバルブ
２０      放水器具
ａ        噴霧放水
ｂ        棒状放水
【図１】
0003156866.tif 000003
【図２】
0003156866.tif 000004
【図３】
0003156866.tif 000005
【図４】
0003156866.tif 000006